(57)【要約】      （修正有）【課題】本発明の目的は、車両運転中であっても、乗員（運転者）が容易にかつ安全に走行距離表示装置の表示を切替え又は、リセットできる走行距離表示装置を提供する。【解決手段】車両の走行距離を表示するための表示手段としての表示部２が設けられており、オドメータ表示、トリップメータ表示を行うようになっている。乗員の息吹きかけを検出する検出手段としてマイクロホン３が設けられている。さらに、マイクロホン３の出力に基づき息吹きかけが行われたか否かを判断し、この判断に基づき表示装置の表示内容を変更する制御する、判断手段及び制御手段として制御回路３が設けられている。【選択図】図１
2008207707.tif 000002
【特許請求の範囲】
【請求項１】
車両の走行距離を表示するための表示手段と、
乗員の息吹きかけを検出する検出手段と、
前記検出手段の出力に基づき息吹きかけが行われたか否かを判断する判断手段と、
前記判断手段の判断に基づき表示手段の表示内容を変更する制御手段を有することを特徴とする走行距離表示装置。
【請求項２】
前記判断手段は、息吹きかけの長さを含め判断することを特徴とする請求項１に記載の走行距離表示装置。
【請求項３】
前記検出手段は、音声を検出するマイクロホンであることを特徴とする請求項１又は請求項２のいずれかに記載の走行距離表示装置。
【請求項４】
前記表示手段は、オドメータ表示、トリップメータ表示を行うことを特徴とする請求項１乃至請求項３のいずれかに記載の走行距離表示装置。
【請求項５】
前記制御手段は、トリップメータ表示をリセットすることを特徴とする請求項１乃至請求項４のいずれかに記載の走行距離表示装置。
【請求項６】
前記制御手段は、オドメータ表示とトリップメータ表示とを切替えることを特徴とする請求項１乃至請求項５のいずれかに記載の走行距離表示装置。
【発明の詳細な説明】
【技術分野】
【０００１】
本発明は、車両の走行距離の表示装置に関するもので、特に乗員の息吹きかけによりオドメータ表示、トリップメータ表示等の表示内容を変更する走行距離表示装置に関するものである。
【背景技術】
【０００２】
車両の走行表示装置としては、乗員（運転者）のハンドル前方に設けられた計器板内の表示装置に、オドメータ表示、トリップメータＡ表示、トリップメータＢ表示を切替えにより表示する構成となっている。この切替えは、表示装置近傍に設けられた切替えボタンを操作することによって行われる。この操作は、乗員がハンドル前方の計器板内の切替えボタンに対し手を伸ばし、切替えボタンを押して表示の切替え又は、トリップメータの表示のリセットを行う。（特許文献１）
【０００３】
一方、全く異なった技術分野の技術として、ゲームをコントロール手段として息吹きかけによるものが提案されている。これは、息吹きかけを判別して、ゲームのコントロールに応用するものである。（特許文献２）
【特許文献１】特開２００４−２２４２６９
【特許文献２】特開２００６−１４５８５１
【発明の開示】
【発明が解決しようとする課題】
【０００４】
従来の走行距離表示装置では、乗員がハンドル前方の切替えボタンにより切替え操作を行う必要がある。そのため走行中は操作が困難であり、安全に操作を行うには車両を停車させる必要があり面倒であった。走行距離表示を簡単に切替える方法としては、ハンドル又はインストルメントパネル等に切替えスイッチを設ける方法が考えられるが、ハンドル、インストルメントパネルには、多数のスイッチが配置されており、どのスイッチを操作するか確認を行うのに、手間取ってしまうという問題があった。
【０００５】
本発明は、上記のような従来の課題を解決するためになされたもので、本発明の目的は、車両運転中であっても、乗員（運転者）が容易にかつ安全に走行距離表示装置の表示を切替え又は、リセットできる走行距離表示装置を提供することにある。
【課題を解決するための手段】
【０００６】
前記目的を達成するために本件発明の請求項１に記載の発明は、車両の走行距離を表示するための表示手段と、乗員の息吹きかけを検出する検出手段と、検出手段の出力に基づき息吹きかけが行われたか否かを判断する判断手段と、判断手段の判断に基づき表示手段の表示内容を変更する制御手段を有することを特徴とする。
【０００７】
請求項２の発明は、請求項１に記載の走行距離表示装置において、検出手段は、息吹きかけの長さを含め判断することを特徴とする。
請求項３の発明は、請求項１乃至請求項３のいずれかに記載の走行距離表示装置において、検出手段は、音声を検出するマイクロホンであることを特徴とする。
請求項４の発明は、請求項１乃至請求項３のいずれかに記載の車両用空調システムにおいて、表示手段は、オドメータ表示、トリップメータ表示を行うことを特徴とする。
請求項５の発明は、請求項１乃至請求項４のいずれかに記載の走行距離表示装置において、制御手段は、トリップメータ表示をリセットすることを特徴とする。
請求項６の発明は、請求項１乃至請求項４のいずれかに記載の走行距離表示装置において、制御手段は、オドメータ表示とトリップメータ表示とを切替えることを特徴とする。
【発明の効果】
【０００８】
本件発明によれば、車両の走行距離を表示するための表示手段と、乗員の息吹きかけを検出する検出手段と、検出手段の出力に基づき息吹きかけが行われたか否かを判断する判断手段と、判断手段の判断に基づき表示手段の表示内容を変更する制御手段を設けたことにより、乗員が検出手段に息を吹きかけるという簡単な動作により、走行表示装置の表示内容を変更することができる。そのため、表示内容を変更するために、車両を停止させる、ハンドル，インストルメントパネルに設けられたスイッチを探す、などの必要がない。
【発明を実施するための最良の形態】
【０００９】
以下、本発明を実施するための最良の形態について説明する。
判断手段は、乗員の息吹きかけの長さを含め判断するようにしてもよく、例えば息吹きかけの長さが短い場合（一秒未満）は、オドメータ表示とトリップメータＡ及びＢの表示を切替え、息吹きかけの長さが長い場合（一秒以上）は、トリップメータのリセットを行うようにしても良い。さらに、短い息吹きかけの回数に応じ表示の切替えのパターンを工夫するようにしても良い。また、息吹きかけか音声かの判断は、周波数解析により判断するようにしても良いし、マイクロホンからの信号を特定周波数のみを出力するフィルター回路を用い判断するようにしても良い。
【００１０】
検出手段は、音声を検出するマイクロホンを用いることができる。このマイクロホンは、車両の音声認識を行うマイクロホンと兼用するような構成としても良く、この場合は音声認識の制御ルーチンに、息吹きかけの判断ルーチンを追加する構成とすることにより、付加的な構成を設けることなく安価にシステム構成することができる。
【００１１】
表示手段は、走行距離の表示のみでなく、水温、燃料残量、燃費など、車両の情報を表示するようなものとしても良く、息吹きかけの強さを反映するようなに表示方法を変化させるようなものとしても良い。この場合は、単に数値のみを表示装置ではなく、小型の液晶ディスプレ、ＥＬなどの用いることにより息吹きかけの強さに応じ、表示された数字を揺らすなどの表示の演出が可能となる。また、息吹きかけに対応させて、表示の演出を工夫することにより乗員の操作を容易にすることもできる。
【実施例】
【００１２】
次に、本件発明の実施の形態について、図を参照して説明を行う。図１に本実施形態の走行距離表示装置を示す概略図。図２に本実施形態の走行距離表示装置の構成を示すブロック図を示す。図３に本実施形態の走行距離表示装置の動作を示すフローチャート図を示す。
【００１３】
図１の本実施形態の走行距離表示装置は、乗員（運転手）操作するハンドル５の前方のインストルメントパネル１内に、表示手段としての表示部２と、検出手段としてのマイクロホン３が設けられている。このマイクロホン３は、インストルメントパネル１内に設けられた判断手段及び制御手段としての制御回路１０に接続さており、制御回路１０は表示部２に接続されている。制御回路１０は、マイクロホン３からの信号を解析し、その判断に応じ表示部２の表示内容を変化させる。（図２参照）
【００１４】
表示部２の表示内容は、乗員がマイクロホン３に一秒未満の短い息吹きかけることにより、オドメータ表示、トリップメータＡ表示、トリップメータＢ表示の順序で切替えるようになっている。また、表示部２の表示が、トリップメータＡ表示又は、トリップメータＢ表示の時、乗員がマイクロホン３に一秒以上の長い息吹きかけることに、トリップメータＡ表示又は、トリップメータＢ表示をリセットし、表示を０にするようになっている。
【００１５】
次に、制御のフローを図３の走行距離表示装置の動作を示すフローチャートにより説明する。
始めに、ステップＳ１００により初期化を行い、ステップＳ１０１でマイクロホン３により検出たれた信号が息吹きかけか否かを息吹きかけ判別処理（詳細は特開２００６−１４５８５１公報参照）により行う。この息吹きかけ判別処理によって得られた結果に基づき、ステップＳ１０３により息吹きかけを行ったかを判断し、Ｎｏの場合は本件処理を終了する。Ｙｅｓの場合には、ステップＳ１０５により一秒以上の長い息吹きかけかを判断し、Ｎｏの場合はステップＳ１０７で表示部２の表示の切替えを行う。
【００１６】
この切替えは、図２に示すようにそのときの表示が、オドメータ表示であった場合には次のトリップメータＡの表示に切替え、トリップメータＡ表示の場合にはトリップメータＢ表示に、トリップメータＢ表示の場合にはオドメータ表示に順次切替えるようになっている。そして、上記いずれかの表示の切替えを行い、本件処理を終了する。
【００１７】
ステップＳ１０５でＹｅｓと判断した場合は、ステップＳ１０９により現在の表示がトリップメータＡの表示かを判断し、Ｙｅｓの場合はトリップメータＡをリセット（表示を０とする）し本件処理を終了する。Ｎｏの場合は、ステップＳ１１３で現在の表示がトリップメータＢの表示かを判断し、Ｎｏの場は本件処理を終了する。Ｙｅｓの場合は、トリップメータＢをリセット（表示を０とする）し本件処理を終了する。
【００１８】
なお、この処理で表示部２の現在の表示がオドメータ表示の時、一秒以上の長い息吹きかけを行ったとしてもリセットは行えないためこの操作は無効とし本件処理を終了することとなる。
【図面の簡単な説明】
【００１９】
【図１】本実施形態の走行距離表示装置を示す概略図である。
【図２】本実施形態の走行距離表示装置の構成を示すブロック図である。
【図３】本実施形態の走行距離表示装置の動作を示すフローチャート図である。
【符号の説明】
【００２０】
１…インストルメントパネル
２…表示部（表示手段）
３…マイクロホン（検出手段）
５…ハンドル
１０…制御回路（判断手段、制御手段）
【図１】
2008207707.tif 000003
【図２】
2008207707.tif 000004
【図３】
2008207707.tif 000005